(57)【要約】【課題】器具本体のサイズを大きくすることなく配光を可変することのできる照明器具を提供する。【解決手段】光を出射する発光面１０を有する平板状の面状光源１と、面状光源１の下側に設けられて面状光源１から照射される光の照射方向を変化させる光出射面２０，３０を各々有する平板状の第１のプリズムパネル２及び第２のプリズムパネル３と、第１のプリズムパネル２及び第２のプリズムパネル３の各全周を覆うようにして支持する略円形状の第１の支持枠４及び第２の支持枠５と、下面を開口した有底筒状に形成されるとともに、面状光源１、第１のプリズムパネル２、第２のプリズムパネル３、第１の支持枠４、第２の支持枠５を収納する器具本体（図示せず）とから構成され、各支持枠４，５を手で回動させることにより各プリズムパネル２，３を互いに独立して回動可能とした。【選択図】図１
2009054322.tif 000002
【特許請求の範囲】
【請求項１】
光を出射する発光面を有する平板状の面状光源と、面状光源の発光面側に設けられて面状光源から照射される光の照射方向を変化させる光出射面を有する複数の平板状の配光部材と、面状光源及び配光部材を収納する器具本体とを備え、配光部材は、その厚み方向が面状光源の発光面と鉛直な方向と一致するように配設されるとともに、各々が互いに独立して発光面と平行な面に沿って回動自在に設けられたことを特徴とする照明器具。
【請求項２】
前記配光部材は、透光性を有する材料から形成され、その光出射面には、断面形状が二等辺三角形状若しくは鋸歯状の長尺の配光制御部が複数並設されて成ることを特徴とする請求項１記載の照明器具。
【請求項３】
前記配光部材の回動を制御する回動制御手段を備えたことを特徴とする請求項１又は２記載の照明器具。
【請求項４】
前記面状光源は、透光性を有する材料から成る基板と、基板に積層される有機材料から成る有機発光層と、有機発光層を挟んで設けられる第１の電極層及び第２の電極層とから成る発光素子で構成されることを特徴とする請求項１乃至３の何れか１項に記載の照明器具。
【発明の詳細な説明】
【技術分野】
【０００１】
本発明は、面状光源を用いる照明器具に関する。
【背景技術】
【０００２】
従来から、蛍光灯を光源とする照明器具において、蛍光灯を覆うようにパネルを設けることで蛍光灯から照射される光の配光を制御するものが知られている。しかしながら、このような照明器具では、パネルが固定されているために配光を可変することができないという問題があった。一方で、器具の使用状況に応じて配光を可変することができる照明器具が提供されており、例えば特許文献１に開示されている。
【０００３】
この従来例は、光源と、反射鏡と、レンズと、光源とレンズとの間隔を変化させる調整機構と、器具本体等から成り、調整機構により光軸に沿ってレンズを前後に移動させてフォーカス調整やズーム調整等を行うスポットライトであって、調整機構は、レンズを保持するレンズホルダと、該レンズホルダを前後移動自在に保持する移動ガイド部と、レンズホルダの移動方向に沿って形成したラックと、該ラックと噛合し回転しながらレンズホルダと一体に前後移動する歯車と、器具本体外面に付設され歯車と一体に回転しながら前後移動する操作摘みと、該操作摘みの移動をロックするカム式レバーとを備える。而して、カム式レバーを操作してロックを解除するとともに、操作摘みを回転操作することで光源とレンズとの間の距離を変更して配光を可変することができる。
【特許文献１】特開２００２−８４０４号公報
【発明の開示】
【発明が解決しようとする課題】
【０００４】
しかしながら、上記従来例では、器具の使用状況に応じて配光を可変することができるものの、光源とレンズとの間の距離を直線的に変化させるため、器具本体のサイズが大きくなる虞があった。
【０００５】
本発明は、上記の点に鑑みて為されたもので、器具本体のサイズを大きくすることなく配光を可変することのできる照明器具を提供することを目的とする。
【課題を解決するための手段】
【０００６】
請求項１の発明は、上記目的を達成するために、光を出射する発光面を有する平板状の面状光源と、面状光源の発光面側に設けられて面状光源から照射される光の照射方向を変化させる光出射面を有する複数の平板状の配光部材と、面状光源及び配光部材を収納する器具本体とを備え、配光部材は、その厚み方向が面状光源の発光面と鉛直な方向と一致するように配設されるとともに、各々が互いに独立して発光面と平行な面に沿って回動自在に設けられたことを特徴とする。
【０００７】
請求項２の発明は、請求項１の発明において、配光部材は、透光性を有する材料から形成され、その光出射面には、断面形状が二等辺三角形状若しくは鋸歯状の長尺の配光制御部が複数並設されて成ることを特徴とする。
【０００８】
請求項３の発明は、請求項１又は２の発明において、配光部材の回動を制御する回動制御手段を備えたことを特徴とする。
【０００９】
請求項４の発明は、請求項１乃至３の何れか１項の発明において、面状光源は、透光性を有する材料から成る基板と、基板に積層される有機材料から成る有機発光層と、有機発光層を挟んで設けられる第１の電極層及び第２の電極層とから成る発光素子で構成されることを特徴とする。
【発明の効果】
【００１０】
請求項１の発明によれば、面状光源の厚み方向における面状光源から配光部材までの距離を変更することなく配光部材を回動させるだけで面状光源からの光の照射方向を容易に可変することができるので、器具本体のサイズを大きくすることなく配光を可変することができる。
【００１１】
請求項２の発明によれば、配光部材を回動させることで配光制御部の断面形状に応じた配光を得ることができる。
【００１２】
請求項３の発明によれば、配光部材を手で動かすことなく遠隔制御することができ、容易に配光を可変することができる。
【発明を実施するための最良の形態】
【００１３】
以下、本発明に係る照明器具の実施形態について図面を用いて説明する。尚、以下の説明では、図１（ｂ）における上下を上下方向と定めるものとする。本実施形態は、図１（ａ）に示すように、光を出射する発光面１０を有する平板状の面状光源１と、面状光源１の下側に設けられて面状光源１から照射される光の照射方向を変化させる光出射面２０，３０を各々有する平板状の配光部材である第１のプリズムパネル２及び第２のプリズムパネル３と、第１のプリズムパネル２及び第２のプリズムパネル３の各全周を覆うようにして支持する略円形状の第１の支持枠４及び第２の支持枠５と、下面を開口した有底筒状に形成されるとともに、面状光源１、第１のプリズムパネル２、第２のプリズムパネル３、第１の支持枠４、第２の支持枠５を収納する器具本体（図示せず）とから構成される。尚、本実施形態は、面状光源１から照射される光の照射方向が鉛直下方となるように天井（図示せず）に取り付けた場合について説明するが、本実施形態の取付位置はこれに限定されるものではない。
【００１４】
面状光源１は、透光性を有する材料から成る基板（図示せず）と、基板に積層される有機材料から成る有機発光層（図示せず）と、有機発光層を挟んで設けられる第１の電極層（図示せず）及び第２の電極層（図示せず）とから成る発光素子、所謂有機ＥＬ素子で構成される。而して、図示しない給電手段によって第１の電極層及び第２の電極層間に直流電圧を供給することで有機発光層が発光し、基板の下面を発光面１０として光が外部に取り出されるようになっている。尚、面状光源１は、上記のように有機ＥＬ素子を光源として構成される必要は無く、例えば蛍光灯や発光ダイオードを光源として面状光源１を構成しても構わない。
【００１５】
第１のプリズムパネル２及び第２のプリズムパネル３は、例えばアクリル、ポリカーボネート、ガラス、ポリプロピレン等の透光性を有する材料から形成され、面状光源１の発光面１０と対向する上面が面状光源１からの光を入射させる光入射面となっている。光入射面と対向する下面は光出射面２０，３０となっており、光出射面２０，３０には、断面形状が二等辺三角形状の長尺の配光制御部Ａが連続一体に複数並設されている。而して、光入射面から入射した面状光源１からの光は、配光制御部Ａを通過することでその照射方向を変化させて光出射面２０，３０から外部に採り出される。
【００１６】
第１の支持枠４及び第２の支持枠５は、図１（ａ）に示すように、各々の内周面に第１のプリズムパネル２及び第２のプリズムパネル３の四隅が取付固定されている。また、各支持枠４，５は、その周方向に沿って設けられて器具本体に回動自在に取り付けられた複数のローラー（図示せず）上に載置され、器具本体に対して回動自在に取り付けられている。而して、各支持枠４，５を手で回動させることにより各プリズムパネル２，３を互いに独立して回動させることができ、発光面１０に対する各光出射面２０，３０の配光制御部Ａの相対的な位置を適宜変更することで、面状光源１の配光を可変することができる。尚、上記のようにローラーを介して各支持枠４，５を器具本体に対して回動自在に取り付ける技術は周知であるので、ここでは詳細な説明を省略する。また、上記以外の構成で各支持枠４，５を器具本体に対して回動自在に取り付けても構わない。
【００１７】
例えば、図２（ａ）に示すように、第１のプリズムパネル２と第２のプリズムパネル３とで配光制御部Ａの長手方向が互いに直交するように各支持枠４，５を回動させた場合、面状光源１から照射される光は、第１のプリズムパネル２において光出射面２０及び配光制御部Ａの長手方向の何れとも直交する平面で集光されるとともに、第２のプリズムパネル３において光出射面３０及び配光制御部Ａの長手方向の何れとも直交する平面で集光されるため、図２（ｂ）の実線アに示すように鉛直下方に直線的な配光が得られる。
【００１８】
また、図３（ａ）に示すように、第１のプリズムパネル２と第２のプリズムパネル３とで配光制御部Ａの長手方向が互いに一致するように各支持枠４，５を回動させた場合、面状光源１から照射される光は、第１のプリズムパネル２と第２のプリズムパネル３の何れにおいても、光出射面２０，３０及び配光制御部Ａの長手方向の何れとも直交する平面で集光されるため、配光制御部Ａと直交する平面上では図３（ｂ）の実線イに示すような配光が得られるとともに、配光制御部Ａと平行な平面上では図３（ｂ）の破線ウに示すような幅広の配光が得られる。
【００１９】
上述のように、面状光源１の厚み方向における面状光源１から各プリズムパネル２，３までの距離を変更することなく各プリズムパネル２，３を回動させるだけで面状光源１からの光の照射方向を容易に可変することができるので、器具本体のサイズを大きくすることなく配光を可変することができる。
【００２０】
ところで、本実施形態では、図１（ａ）に示すように、第１のプリズムパネル及び第２のプリズムパネル２，３の配光制御部Ａは断面形状が二等辺三角形状であったが、図４（ａ），（ｂ）に示すように、配光制御部Ａの断面形状が鋸歯状であっても構わない。この場合、例えば図４（ａ）に示すように、第１のプリズムパネル２と第２のプリズムパネル３とで配光制御部Ａの長手方向が一致し、且つ配光制御部Ａの鋸歯の向きが互いに同じであれば、面状光源１から照射される光の照射方向を大きく傾かせることができる。また、図４（ｂ）に示すように、第１のプリズムパネル２と第２のプリズムパネル３とで配光制御部Ａの長手方向が一致し、且つ配光制御部Ａの鋸歯の向きが互いに反対向きであれば、照射方向を変化させる作用が打ち消しあうために、面状光源１から照射される光の照射方向を変化させずに光出射面３０から採り出すことができる。ここで、第１のプリズムパネル２を固定した状態で第２のプリズムパネル３のみを回動させれば、図４（ａ）に示す照射方向と図４（ｂ）に示す照射方向との間の傾きをもった光を光出射面３０から採り出すことができる。
【００２１】
更に、例えば図４（ａ）に示すように、各プリズムパネル２，３の配置が面状光源１からの光の照射方向を傾かせる配置であった場合に、各プリズムパネル２，３を相対的な位置関係を崩さないように同時に回動させれば、面状光源１の中心を通る直線を軸として、配光を３６０度回転させることができる。また、面状光源１と各プリズムパネル２，３との間に、配光制御部Ａの断面形状が二等辺三角形状の第３のプリズムパネル（図示せず）を配設すれば、面状光源１から出射した光が各プリズムパネル２，３に入射する前に第３のプリズムパネルによって集光されるので、より顕著に光の集光性を変化させることができる。
【００２２】
尚、本実施形態では、第１の支持枠４及び第２の支持枠５を手で動かすことにより第１のプリズムパネル２及び第２のプリズムパネル３を回動させているが、器具本体に取り付けられたローラーをモーター等で動かすことで各支持枠４，５、及び各プリズムパネル２，３の回動を制御する回動制御手段（図示せず）を設けても構わない。この場合、各プリズムパネル２，３を手で動かすことなく遠隔制御することができ、配光を容易に可変することができる。
【図面の簡単な説明】
【００２３】
【図１】本発明の照明器具の実施形態を示す図で、（ａ）は全体斜視図で、（ｂ）は第１の支持枠及び第２の支持枠を省略した側面図である。
【図２】同上の第１のプリズムパネル及び第２のプリズムパネルの配置の一例を示す図で、（ａ）は第１の支持枠及び第２の支持枠を省略した全体斜視図で、（ｂ）は配光を示す特性図である。
【図３】同上の第１のプリズムパネル及び第２のプリズムパネルの他の配置の一例を示す図で、（ａ）は第１の支持枠及び第２の支持枠を省略した全体斜視図で、（ｂ）は配光を示す特性図である。
【図４】同上の配光制御部の断面形状が鋸歯状である場合を示す図で、（ａ）は鋸歯の向きを互いに同じ向きに揃えた場合の配光を示す第１の支持枠及び第２の支持枠を省略した側面図で、（ｂ）は鋸歯の向きを互いに反対向きに揃えた場合の配光を示す第１の支持枠及び第２の支持枠を省略した側面図である。
【符号の説明】
【００２４】
１  面状光源
１０  発光面
２  第１のプリズムパネル（配光部材）
３  第２のプリズムパネル（配光部材）
２０，３０  光出射面
【図１】
2009054322.tif 000003
【図２】
2009054322.tif 000004
【図３】
2009054322.tif 000005
【図４】
2009054322.tif 000006